(57)【要約】本願は、無線通信の技術分野に係り、特にデータ送信方法、データ受信方法、システム及び機器に関し、発信側のＵＥからの複数の伝送リソース上の信号に対し、受信側のＵＥによる合併後検出ができず、検出の成功率が比較的低いという従来技術の問題を解決するためのものである。本願の方法は、発信側が、データ伝送用の第１伝送リソースを確定し、前記第１伝送リソースに対応する第２伝送リソースプールから第２伝送リソースを確定することと、伝送すべきデータを前記第１伝送リソースと前記第２伝送リソースで送信することとを含む。受信側が、第１伝送リソースと、第１伝送リソースに関連する第２伝送リソースでデータ情報を受信することができるため、発信側のＵＥからの複数の伝送リソース上の信号に対し、受信側による合併後検出が保証され、検出の成功率を向上させ、更に伝送性能を向上させる。【選択図】図１１
2017502552.tif 000002
【特許請求の範囲】
【請求項１】
発信側が、データ伝送用の第１伝送リソースを確定し、前記第１伝送リソースに対応する第２伝送リソースプールから第２伝送リソースを確定することと、
前記発信側が、伝送すべきデータを前記第１伝送リソースと前記第２伝送リソースで送信することと
を含むことを特徴とするデータ送信方法。
【請求項２】
前記発信側がデータ伝送用の第１伝送リソースを確定することは、
前記発信側が、受信した第１指示情報に基づき、前記第１伝送リソースを確定し、
又は、
前記発信側が、第１伝送リソースプールから前記第１伝送リソースを確定することを含むことを特徴とする請求項１に記載のデータ送信方法。
【請求項３】
前記発信側が第１伝送リソースプールから前記第１伝送リソースを確定することは、
前記発信側が前記第１伝送リソースプールから前記第１伝送リソースをランダムに選択し、
又は、
前記発信側が、測定した前記第１伝送リソースプールの全ての伝送リソース上の信号強度に基づき、前記第１伝送リソースを選択し、
又は、
前記発信側が、所定の第１選択ルールに基づき、第１伝送リソースプールから前記第１伝送リソースを選択することを含むことを特徴とする請求項２に記載のデータ送信方法。
【請求項４】
前記発信側が、前記第１伝送リソースに対応する第２伝送リソースプールから第２伝送リソースを選択することは、
前記発信側が前記第２伝送リソースプールから前記第２伝送リソースをランダムに選択し、
又は、
前記発信側が、測定した前記第２伝送リソースプールの全ての伝送リソース上の信号強度に基づき、前記第２伝送リソースを選択し、
又は、
前記発信側が、所定の第２選択ルールに基づき、第２伝送リソースプールから前記第２伝送リソースを選択することを含むことを特徴とする請求項１に記載のデータ送信方法。
【請求項５】
前記発信側は、
所定のリソースプールを前記第２伝送リソースプールとし、
又は、
前記第１伝送リソースと第２伝送リソースプールのマッピング関係に基づき、前記第２伝送リソースプールを確定し、
又は、
測定した前記第１伝送リソースプールの全ての伝送リソース上の信号強度に基づき、前記第２伝送リソースプールの伝送リソースとして選択し、
又は、
前記第１伝送リソースプールから前記第２伝送リソースプールの伝送リソースとして所定の第２選択ルールにより選択し又はランダムに選択し、
又は、
前記第１伝送リソースプールを前記第２伝送リソースプールとすることにより、
前記第２伝送リソースプールを確定することを特徴とする請求項１に記載のデータ送信方法。
【請求項６】
前記発信側が、伝送すべきデータを前記第１伝送リソースと前記第２伝送リソースで送信することは、
前記発信側が、前記伝送すべきデータから生成される信号を、前記第１伝送リソースと前記第２伝送リソースで繰り返して送信し、
又は、
前記発信側が、前記伝送すべきデータの異なる冗長バージョンデータから生成される信号を、前記第１伝送リソースと前記第２伝送リソースで送信し、
又は、
前記発信側が、伝送すべきデータ又は伝送すべきデータの変調符号化したデータを２つの部分に分け、一部データから生成される信号を、前記第１伝送リソースと前記第２伝送リソースでそれぞれ伝送することを含むことを特徴とする請求項１〜５のいずれか一項に記載のデータ送信方法。
【請求項７】
前記発信側が、前記第２伝送リソースの位置を示す第２指示情報を送信することを更に含むことを特徴とする請求項１〜５のいずれか一項に記載のデータ送信方法。
【請求項８】
前記発信側が第２指示情報を送信することは、
前記発信側が、前記第２指示情報を前記第１伝送リソースで送信することを含むことを特徴とする請求項７に記載のデータ送信方法。
【請求項９】
前記発信側が前記第２指示情報を前記第１伝送リソースで送信することは、
前記発信側が、前記第２指示情報を第１伝送リソースの一部で送信し、
又は、
前記発信側が、第２指示情報を前記第１伝送リソースの復調パイロットに変調させて伝送し、
又は、
前記発信側が、前記第１伝送リソースの復調パイロット系列のパラメータ値を前記第２指示情報とすることを含むことを特徴とする請求項８に記載のデータ送信方法。
【請求項１０】
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項８又は９に記載のデータ送信方法。
【請求項１１】
前記発信側が、前記第２伝送リソースでデータ送信するかを示す第３指示情報を送信することを更に含むことを特徴とする請求項１〜５のいずれか一項に記載のデータ送信方法。
【請求項１２】
受信側が、データ受信用の第１伝送リソースを確定し、第１伝送リソースに対応する第２伝送リソースを確定することと、
前記受信側が、前記第１伝送リソースと前記第２伝送リソースでデータ受信することと
を含むことを特徴とするデータ受信方法。
【請求項１３】
受信側が、第１伝送リソースに対応する第２伝送リソースを確定することは、
前記受信側が、第１伝送リソースに対応する第２伝送リソースプールから前記第２伝送リソースを確定することを含むことを特徴とする請求項１２に記載のデータ受信方法。
【請求項１４】
前記受信側が、第１伝送リソースに対応する第２伝送リソースを確定することは、
前記受信側が、前記第１伝送リソースに対応する第２伝送リソースプールの各伝送リソースを１つの第２伝送リソースとすることを含み、
前記受信側が、前記第１伝送リソースと前記第２伝送リソースでデータ受信することは、
前記受信側が、前記第１伝送リソースで受信したデータ情報と、前記１つ又は複数の第２伝送リソースで受信したデータ情報を合併して復号することを含むことを特徴とする請求項１２に記載のデータ受信方法。
【請求項１５】
前記受信側が、第１伝送リソースに対応する第２伝送リソースを確定することは、
前記受信側が、第２指示情報を受信し、前記第２指示情報に基づき、前記第２伝送リソースを確定することを含み、
前記受信側が、前記第１伝送リソースと前記第２伝送リソースでデータ受信することは、
前記受信側が、前記第１伝送リソースで受信したデータ情報と、前記第２伝送リソースで受信したデータ情報を合併して復号することを含むことを特徴とする請求項１２に記載のデータ受信方法。
【請求項１６】
前記受信側が前記第２指示情報を受信することは、
前記受信側が、前記第２指示情報を前記第１伝送リソースで受信することを含むことを特徴とする請求項１５に記載のデータ受信方法。
【請求項１７】
前記受信側が前記第２指示情報を受信することは、
前記受信側が、前記第１伝送リソースの復調パイロットに変調された情報を復調することにより、前記第２指示情報を確定し、
又は、
前記受信側が、前記第１伝送リソースの復調パイロット系列のパラメータ値に基づき、前記第２指示情報を確定することを含むことを特徴とする請求項１６に記載のデータ受信方法。
【請求項１８】
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項１６又は１７に記載のデータ受信方法。
【請求項１９】
前記受信側は、
所定のリソースプールを前記第２伝送リソースプールとし、
又は、
前記第１伝送リソースと第２伝送リソースプールのマッピング関係に基づき、前記第２伝送リソースプールを確定し、
又は、
前記第１伝送リソースプールを前記第２伝送リソースプールとすることにより、
第２伝送リソースプールを確定することを特徴とする請求項１４又は１８に記載のデータ受信方法。
【請求項２０】
前記受信側が、受信した第３指示情報に基づき、前記第２伝送リソースによるデータ受信を確定した後に、前記第２伝送リソースでデータ受信することを特徴とする請求項１２〜１７のいずれか一項に記載のデータ受信方法。
【請求項２１】
前記受信側が前記第３指示情報を受信することは、
前記受信側が、前記第１伝送リソースの復調パイロットに変調された情報を復調することにより、前記第３指示情報を確定することを含むことを特徴とする請求項２０に記載のデータ受信方法。
【請求項２２】
データ伝送用の第１伝送リソースを確定し、前記第１伝送リソースに対応する第２伝送リソースプールから第２伝送リソースを確定するための第１確定モジュールと、
伝送すべきデータを前記第１伝送リソースと前記第２伝送リソースで送信するための送信モジュールと
を含むことを特徴とするデータ送信機器。
【請求項２３】
前記第１確定モジュールは、
受信した第１指示情報に基づき、前記第１伝送リソースを確定し、
又は、
第１伝送リソースプールから前記第１伝送リソースを確定することを特徴とする請求項２２に記載のデータ送信機器。
【請求項２４】
前記第１確定モジュールが第１伝送リソースプールから前記第１伝送リソースを確定することは、
前記第１伝送リソースプールから前記第１伝送リソースをランダムに選択し、
又は、
測定した前記第１伝送リソースプールの全ての伝送リソース上の信号強度に基づき、前記第１伝送リソースを選択し、
又は、
所定の第１選択ルールに基づき、第１伝送リソースプールから前記第１伝送リソースを選択することを含むことを特徴とする請求項２３に記載のデータ送信機器。
【請求項２５】
前記第１確定モジュールは、
前記第２伝送リソースプールから前記第２伝送リソースをランダムに選択し、
又は、
測定した前記第２伝送リソースプールの全ての伝送リソース上の信号強度に基づき、前記第２伝送リソースを選択し、
又は、
所定の第２選択ルールに基づき、第２伝送リソースプールから前記第２伝送リソースを選択することを特徴とする請求項２２に記載のデータ送信機器。
【請求項２６】
前記第１確定モジュールは、
所定のリソースプールを前記第２伝送リソースプールとし、
又は、
前記第１伝送リソースと第２伝送リソースプールのマッピング関係に基づき、前記第２伝送リソースプールを確定し、
又は、
測定した前記第１伝送リソースプールの全ての伝送リソース上の信号強度に基づき、前記第２伝送リソースの伝送リソースとして選択し、
又は、
前記第１伝送リソースプールから、第２伝送リソースプールの伝送リソースとして所定の第２選択ルールにより選択し又はランダムに選択し、
又は、
前記第１伝送リソースプールを前記第２伝送リソースプールとすることにより、
前記第２伝送リソースプールを確定することを特徴とする請求項２２に記載のデータ送信機器。
【請求項２７】
前記送信モジュールは、
前記伝送すべきデータから生成される信号を、前記第１伝送リソースと前記第２伝送リソースで繰り返して送信し、
又は、
前記伝送すべきデータの異なる冗長バージョンデータから生成される信号を、前記第１伝送リソースと前記第２伝送リソースで送信し、
又は、
伝送すべきデータ又は伝送すべきデータの変調符号化したデータを２つの部分に分け、一部データから生成される信号を、前記第１伝送リソースと前記第２伝送リソースでそれぞれ伝送することを特徴とする請求項２２〜２６のいずれか一項に記載のデータ送信機器。
【請求項２８】
前記第１確定モジュールは、更に、前記第２伝送リソースの位置を示す第２指示情報を送信することを特徴とする請求項２２〜２６のいずれか一項に記載のデータ送信機器。
【請求項２９】
前記第１確定モジュールは、前記第２指示情報を前記第１伝送リソースで前記受信側に送信することを特徴とする請求項２８に記載のデータ送信機器。
【請求項３０】
前記第１確定モジュールは、
前記第２指示情報を第１伝送リソースの一部で前記受信側に送信し、
又は、
第２指示情報を前記第１伝送リソースの復調パイロットに変調させて前記受信側に伝送し、
又は、
前記第１伝送リソースの復調パイロット系列のパラメータ値を前記第２指示情報とすることを特徴とする請求項２９に記載のデータ送信機器。
【請求項３１】
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項２９又は３０に記載のデータ送信機器。
【請求項３２】
前記送信モジュールは、更に、前記第２伝送リソースでデータ送信するかを示す第３指示情報を送信することを特徴とする請求項２２〜２６のいずれか一項に記載のデータ送信機器。
【請求項３３】
データ伝送用の第１伝送リソースを確定し、第１伝送リソースに対応する第２伝送リソースを確定するための第２確定モジュールと、
前記第１伝送リソースと前記第２伝送リソースでデータ受信するための受信モジュールと
を含むことを特徴とするデータ受信機器。
【請求項３４】
前記第２確定モジュールは、
第１伝送リソースに対応する第２伝送リソースプールから、前記第２伝送リソースを確定することを特徴とする請求項３２に記載のデータ受信機器。
【請求項３５】
前記第２確定モジュールは、
前記第１伝送リソースに対応する第２伝送リソースプールの各伝送リソースを１つの第２伝送リソースとし、
前記受信モジュールは、
前記第１伝送リソースで受信したデータ情報と、前記１つ又は複数の第２伝送リソースで受信したデータ情報を合併して復号することを特徴とする請求項３３に記載のデータ受信機器。
【請求項３６】
前記第２確定モジュールは、
前記発信側からの第２指示情報を受信し、前記第２指示情報に基づき、前記第２伝送リソースを確定し、
前記受信モジュールは、
前記第１伝送リソースで受信したデータ情報と、前記第２伝送リソースで受信したデータ情報を合併して復号することを特徴とする請求項３３に記載のデータ受信機器。
【請求項３７】
前記受信モジュールは、
更に、前記発信側からの前記第２指示情報を前記第１伝送リソースで受信することを特徴とする請求項３６に記載のデータ受信機器。
【請求項３８】
前記受信モジュールは、
前記第１伝送リソースの復調パイロットに変調された情報を復調することにより、前記発信側からの前記第２指示情報を確定し、
又は、
前記第１伝送リソースの復調パイロット系列のパラメータ値に基づき、前記第２指示情報を確定することを特徴とする請求項３７に記載のデータ受信機器。
【請求項３９】
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項３７又は３８に記載のデータ受信機器。
【請求項４０】
前記第２確定モジュールは、
所定のリソースプールを前記第２伝送リソースプールとし、
又は、
前記第１伝送リソースと第２伝送リソースプールのマッピング関係に基づき、前記第２伝送リソースプールを確定し、
又は、
前記第１伝送リソースプールを前記第２伝送リソースプールとすることにより、
第２伝送リソースプールを確定することを特徴とする請求項３５又は３９に記載のデータ受信機器。
【請求項４１】
前記受信モジュールは、更に、受信した第３指示情報に基づき、前記第２伝送リソースによるデータ受信を確定した後に、前記第２伝送リソースでデータ受信することを特徴とする請求項３３〜３８のいずれか一項に記載のデータ受信機器。
【請求項４２】
前記受信モジュールは、
前記第１伝送リソースの復調パイロットに変調された情報を復調することにより、前記第３指示情報を確定することを特徴とする請求項４１に記載のデータ受信機器。
【請求項４３】
データ伝送用の第１伝送リソースを確定し、前記第１伝送リソースに対応する第２伝送リソースプールから第２伝送リソースを確定し、伝送すべきデータを前記第１伝送リソースと前記第２伝送リソースで送信するための発信側と、
データ伝送用の第１伝送リソースを確定し、第１伝送リソースに対応する第２伝送リソースを確定し、前記第１伝送リソースと前記第２伝送リソースでデータ情報を受信するための受信側とを含むことを特徴とするデータ受信システム。
【発明の詳細な説明】
【技術分野】
【０００１】
本願は、２０１３年１１月８日に中国特許庁に提出された中国特許出願２０１３１０５５３６１２．９（発明の名称：「データ送信方法、データ受信方法、システム及び機器」）の優先権を主張し、その全ての内容が援用により本願に取り込まれる。
【０００２】
本発明は、無線通信の技術分野に関し、特にデータ送信方法、データ受信方法、システム及び機器に関する。
【背景技術】
【０００３】
図１には、伝統的なセルラー通信技術における両ユーザイクイップメント同士のデータ通信フローが示される。２つのＵＥは、各自の駐留するｅＮＢ（進化基地局）及びコアネットワークにより、音声やデータなどのインタラクションが行われる。
【０００４】
Ｄ２Ｄ（Ｄｅｖｉｃｅ‐ｔｏ−Ｄｅｖｉｃｅ）とは、図２に示すように、近隣ユーザイクイップメントが近距離範囲内で直接接続リンクによりデータ伝送を行うことができる方式であり、中心ノード（即ち基地局）による転送を必要としない。Ｄ２Ｄ技術は、その短距離通信特徴と直接通信方式により、以下の利点を有する。ユーザイクイップメントの近距離での直接通信方式により、データレートが高くなり、遅延が低くなり、電力損失が低くなる。また、ネットワークに広く分布するユーザイクイップメント及びＤ２Ｄ通信リンクの短距離の特徴を利用し、スペクトルリソースの有効利用が図れる。また、Ｄ２Ｄの直接通信方式は、例えば無線Ｐ２Ｐなどのローカルデータ共有リクエストに適応することができ、柔軟な適応力を有するデータサービスを提供することができる。また、Ｄ２Ｄ直接通信は、膨大な数でネットワークに広く分布する通信端末を利用し、ネットワークのサービスエリアを拡大させることができる。
【０００５】
Ｄ２Ｄの一つのサービス形態であるＤ２Ｄ発見は、一つのＤ２Ｄ  ＵＥ（ユーザイクイップメント）が近くの他Ｄ２Ｄ  ＵＥからの無線信号を検出することにより、近くのＵＥの関連情報を取得する。ここの関連情報は、機器情報、アプリケーション情報、サービス種類などを含む。
【０００６】
図３に示すように、ＵＥは、一つのリソースプール内の一部のリソースで信号を伝送する。当該信号伝送は、Ｄ２Ｄ信号の伝送であってもよく、セルラー信号の伝送であってもよい。リソースプールは、時間と周波数リソースから構成され、一定の時間範囲と一定の周波数範囲を有する。リソースプールは、一定の周期で時間域に繰り返して現れる。図３に示すリソースプールは、時間と周波数域の両方で連続するものであるが、実際にリソースプールが非連続の時間と周波数リソースから構成されてもよい。リソースプール内のリソースは、複数の伝送リソースに分割され、ＵＥがリソースプール内の一つ又は複数の伝送リソースを占用してデータ伝送を行う。一つの伝送リソースは、一つの物理リソースブロックＰＲＢ（Ｐｈｙｓｉｃａｌ  Ｒｅｓｏｕｒｃｅ  Ｂｌｏｃｋ）であってもよく、複数のＰＲＢであってもよい。複数のＰＲＢは、連続するものであってもよく非連続するものであってもよい。
【０００７】
発信側のＵＥは、リソースプールから一つの伝送リソースをランダムに選択して伝送用にする。信号伝送のサービスエリアを向上させるために、発信側のＵＥは、複数の伝送リソースをランダムに選択して伝送用にするが、受信側のＵＥは、発信側が選択するリソース情報を検出前に取得することができないため、受信したデータの検出しかできず、発信側のＵＥからの複数の伝送リソース上の信号に対し、合併後検出ができず、検出の成功率が比較的低いものである。
【０００８】
以上をまとめると、現在は、受信側のＵＥは、発信側のＵＥからの複数の伝送リソース上の信号に対し合併後検出ができず、検出の成功率が比較的低いものである。
【発明の概要】
【０００９】
本発明は、発信側のＵＥからの複数の伝送リソース上の信号に対し、受信側のＵＥによる合併後検出ができず、検出の成功率が比較的低いという従来技術の問題を解決するためのデータ送信方法及び機器を提供する。
【００１０】
本発明の実施例は、対応するデータ受信方法、機器及びシステムを提供する。
【００１１】
本発明によるデータ送信方法は、発信側が、データ伝送用の第１伝送リソースを確定し、前記第１伝送リソースに対応する第２伝送リソースプールから第２伝送リソースを確定することと、前記発信側が、伝送すべきデータを前記第１伝送リソースと前記第２伝送リソースで送信することとを含む。
【００１２】
前記発信側がデータ伝送用の第１伝送リソースを確定することは、前記発信側が、受信した第１指示情報に基づき、前記第１伝送リソースを確定することを含む。
【００１３】
前記発信側がデータ伝送用の第１伝送リソースを確定することは、前記発信側が、第１伝送リソースプールから前記第１伝送リソースを確定することを含む。
【００１４】
前記発信側が第１伝送リソースプールから前記第１伝送リソースを確定することは、前記発信側が前記第１伝送リソースプールから前記第１伝送リソースをランダムに選択し、又は、前記発信側が、測定した前記第１伝送リソースプールの全ての伝送リソース上の信号強度に基づき、前記第１伝送リソースを選択し、又は、前記発信側が、所定の第１選択ルールに基づき、第１伝送リソースプールから前記第１伝送リソースを選択することを含む。
【００１５】
前記発信側が、前記第１伝送リソースに対応する第２伝送リソースプールから、第１伝送リソースに対応する第２伝送リソースを選択することは、前記発信側が前記第２伝送リソースプールから前記第２伝送リソースをランダムに選択し、又は、前記発信側が、測定した前記第２伝送リソースプールの全ての伝送リソース上の信号強度に基づき、前記第２伝送リソースを選択し、又は、前記発信側が、所定の第２選択ルールに基づき、第２伝送リソースプールから前記第２伝送リソースを選択することを含む。
【００１６】
前記発信側は、所定のリソースプールを前記第２伝送リソースプールとし、又は、前記第１伝送リソースと第２伝送リソースプールのマッピング関係に基づき、前記第２伝送リソースプールを確定し、又は、測定した前記第１伝送リソースプールの全ての伝送リソース上の信号強度に基づき、前記第２伝送リソースプールの伝送リソースとして選択し、又は、前記第１伝送リソースプールから前記第２伝送リソースプールの伝送リソースとして所定の第２選択ルールにより選択し又はランダムに選択し、又は、前記第１伝送リソースプールを前記第２伝送リソースプールとすることにより、前記第２伝送リソースプールを確定する。
【００１７】
前記発信側が、伝送すべきデータを前記第１伝送リソースと前記第２伝送リソースで送信することは、前記発信側が、前記伝送すべきデータから生成される信号を、前記第１伝送リソースと前記第２伝送リソースで繰り返して送信し、又は、前記発信側が、前記伝送すべきデータの異なる冗長バージョンデータから生成される信号を、前記第１伝送リソースと前記第２伝送リソースで送信し、又は、前記発信側が、伝送すべきデータ又は伝送すべきデータの変調符号化したデータを２つの部分に分け、一部データから生成される信号を、前記第１伝送リソースと前記第２伝送リソースでそれぞれ伝送することを含む。
【００１８】
前記方法は、前記発信側が、前記第２伝送リソースの位置を示す第２指示情報を送信することを更に含む。
【００１９】
前記発信側が第２指示情報を送信することは、前記発信側が、前記第２指示情報を前記第１伝送リソースで前記受信側に送信することを含む。
【００２０】
前記発信側が前記第２指示情報を前記第１伝送リソースで前記受信側に送信することは、前記発信側が、前記第２指示情報を第１伝送リソースの一部で前記受信側に送信することを含む。
【００２１】
前記発信側が前記第２指示情報を前記第１伝送リソースで前記受信側に送信することは、前記発信側が、第２指示情報を前記第１伝送リソースの復調パイロットに変調させて前記受信側に伝送することを含む。
【００２２】
前記発信側が前記第２指示情報を前記第１伝送リソースで前記受信側に送信することは、前記発信側が、前記第１伝送リソースの復調パイロット系列のパラメータ値を前記第２指示情報とすることを含む。
【００２３】
前記第２指示情報は、前記第２伝送リソースの位置を示す情報であり、又は、前記第１伝送リソースに対応する第２伝送リソースプールにおける前記第２伝送リソースのインデックス情報である。
【００２４】
本発明の実施例によるデータ受信方法は、受信側が、データ伝送用の第１伝送リソースを確定し、第１伝送リソースに対応する第２伝送リソースを確定することと、前記受信側が、前記第１伝送リソースと前記第２伝送リソースでデータ受信することとを含む。
【００２５】
受信側が、第１伝送リソースに対応する第２伝送リソースを確定することは、前記受信側が、第１伝送リソースに対応する第２伝送リソースプールから前記第２伝送リソースを確定することを含む。
【００２６】
前記受信側が、第１伝送リソースに対応する第２伝送リソースを確定することは、前記受信側が、前記第１伝送リソースに対応する第２伝送リソースプールの各伝送リソースを１つの第２伝送リソースとすることを含み、前記受信側が、前記第１伝送リソースと前記第２伝送リソースでデータ受信することは、前記受信側が、前記第１伝送リソースで受信したデータ情報と、前記１つ又は複数の第２伝送リソースで受信したデータ情報を合併して復号することを含む。
【００２７】
前記受信側が、第１伝送リソースに対応する第２伝送リソースを確定することは、前記受信側が、前記発信側からの第２指示情報を受信し、前記第２指示情報に基づき、前記第２伝送リソースを確定することを含み、前記受信側が、前記第１伝送リソースと前記第２伝送リソースでデータ受信することは、前記受信側が、前記第１伝送リソースで受信したデータ情報と、前記第２伝送リソースで受信したデータ情報を合併して復号することを含む。
【００２８】
前記受信側が前記第２指示情報を受信することは、前記受信側が、前記発信側からの前記第２指示情報を前記第１伝送リソースで受信することを含む。
【００２９】
前記受信側が前記第２指示情報を受信することは、前記受信側が、前記第１伝送リソースの復調パイロットに変調された情報を復調することにより、前記発信側からの前記第２指示情報を確定することを含む。
【００３０】
前記受信側が前記第２指示情報を受信することは、前記受信側が、前記第１伝送リソースの復調パイロット系列のパラメータ値に基づき、前記第２指示情報を確定することを含む。
【００３１】
前記第２指示情報は、前記第２伝送リソースの位置を示す情報であり、又は、前記第１伝送リソースに対応する第２伝送リソースプールにおける前記第２伝送リソースのインデックス情報である。
【００３２】
前記受信側は、所定のリソースプールを前記第２伝送リソースプールとし、又は、前記第１伝送リソースと第２伝送リソースプールのマッピング関係に基づき、前記第２伝送リソースプールを確定し、又は、前記第１伝送リソースプールを前記第２伝送リソースプールとすることにより、第２伝送リソースプールを確定する。
【００３３】
本発明によるデータ送信機器は、データ伝送用の第１伝送リソースを確定し、前記第１伝送リソースに対応する第２伝送リソースプールから第２伝送リソースを確定するための第１確定モジュールと、伝送すべきデータを前記第１伝送リソースと前記第２伝送リソースで送信するための送信モジュールとを含む。
【００３４】
前記第１確定モジュールは、受信した第１指示情報に基づき、前記第１伝送リソースを確定する。
【００３５】
前記第１確定モジュールは、第１伝送リソースプールから前記第１伝送リソースを確定する。
【００３６】
前記第１確定モジュールは、前記第１伝送リソースプールから前記第１伝送リソースをランダムに選択し、又は、測定した前記第１伝送リソースプールの全ての伝送リソース上の信号強度に基づき、前記第１伝送リソースを選択し、又は、所定の第１選択ルールに基づき、第１伝送リソースプールから前記第１伝送リソースを選択する。
【００３７】
前記第１確定モジュールは、前記第２伝送リソースプールから前記第２伝送リソースをランダムに選択し、又は、測定した前記第２伝送リソースプールの全ての伝送リソース上の信号強度に基づき、前記第２伝送リソースを選択し、又は、所定の第２選択ルールに基づき、第２伝送リソースプールから前記第２伝送リソースを選択する。
【００３８】
前記第１確定モジュールは、所定のリソースプールを前記第２伝送リソースプールとし、又は、前記第１伝送リソースと第２伝送リソースプールのマッピング関係に基づき、前記第２伝送リソースプールを確定し、又は、測定した前記第１伝送リソースプールの全ての伝送リソース上の信号強度に基づき、前記第２伝送リソースの伝送リソースとして選択し、又は、前記第１伝送リソースプールから、第２伝送リソースプールの伝送リソースとして所定の第２選択ルールにより選択し又はランダムに選択し、又は、前記第１伝送リソースプールを前記第２伝送リソースプールとすることにより、前記第２伝送リソースプールを確定する。
【００３９】
前記送信モジュールは、前記伝送すべきデータから生成される信号を、前記第１伝送リソースと前記第２伝送リソースで繰り返して送信し、又は、前記伝送すべきデータの異なる冗長バージョンデータから生成される信号を、前記第１伝送リソースと前記第２伝送リソースで送信し、又は、伝送すべきデータ又は伝送すべきデータの変調符号化したデータを２つの部分に分け、一部データから生成される信号を、前記第１伝送リソースと前記第２伝送リソースでそれぞれ伝送する。
【００４０】
前記第１確定モジュールは、更に、前記第２伝送リソースの位置を示す第２指示情報を送信する。
【００４１】
前記第１確定モジュールは、前記第２指示情報を前記第１伝送リソースで送信する。
【００４２】
前記第１確定モジュールは、前記第２指示情報を第１伝送リソースの一部で前記受信側に送信する。
【００４３】
前記第１確定モジュールは、第２指示情報を前記第１伝送リソースの復調パイロットに変調させて前記受信側に伝送する。
【００４４】
前記第１確定モジュールは、前記第１伝送リソースの復調パイロット系列のパラメータ値を前記第２指示情報とする。
【００４５】
前記第２指示情報は、前記第２伝送リソースの位置を示す情報であり、又は、前記第１伝送リソースに対応する第２伝送リソースプールにおける前記第２伝送リソースのインデックス情報である。
【００４６】
前記受信側、受信した第３指示情報に基づき、第２伝送リソースによるデータ受信を確定した後に、第２伝送リソースでデータ受信する。
【００４７】
前記受信側が前記第３指示情報を受信することは、前記受信側が、前記第１伝送リソースの復調パイロットに変調された情報を復調することにより、第３指示情報を確定することを含む。
【００４８】
本発明の実施例によるデータ受信機器は、データ伝送用の第１伝送リソースを確定し、第１伝送リソースに対応する第２伝送リソースを確定するための第２確定モジュールと、前記第１伝送リソースと前記第２伝送リソースでデータ受信するための受信モジュールと
を含む。
【００４９】
前記第２確定モジュールは、第１伝送リソースに対応する第２伝送リソースプールから、前記第２伝送リソースを確定する。
【００５０】
前記第２確定モジュールは、前記第１伝送リソースに対応する第２伝送リソースプールの各伝送リソースを１つの第２伝送リソースとする。前記受信モジュールは、前記第１伝送リソースで受信したデータ情報と、前記１つ又は複数の第２伝送リソースで受信したデータ情報を合併して復号する。
【００５１】
前記第２確定モジュールは、前記発信側からの第２指示情報を受信し、前記第２指示情報に基づき、前記第２伝送リソースを確定する。前記受信モジュールは、前記第１伝送リソースで受信したデータ情報と、前記第２伝送リソースで受信したデータ情報を合併して復号する。
【００５２】
前記受信モジュールは、前記発信側からの前記第２指示情報を前記第１伝送リソースで受信する。
【００５３】
前記受信モジュールは、前記第１伝送リソースの復調パイロットに変調された情報を復調することにより、前記発信側からの前記第２指示情報を確定する。
【００５４】
前記受信モジュールは、前記第１伝送リソースの復調パイロット系列のパラメータ値に基づき、前記第２指示情報を確定する。
【００５５】
前記第２指示情報は、前記第２伝送リソースの位置を示す情報であり、又は、前記第１伝送リソースに対応する第２伝送リソースプールにおける前記第２伝送リソースのインデックス情報である。
【００５６】
前記第２確定モジュールは、所定のリソースプールを前記第２伝送リソースプールとし、又は、前記第１伝送リソースと第２伝送リソースプールのマッピング関係に基づき、前記第２伝送リソースプールを確定し、又は、前記第１伝送リソースプールを前記第２伝送リソースプールとすることにより、第２伝送リソースプールを確定する。
【００５７】
前記受信モジュールは、更に、受信した第３指示情報に基づき、第２伝送リソースによるデータ受信を確定した後に、第２伝送リソースでデータ受信する。
【００５８】
前記受信モジュールは、前記第１伝送リソースの復調パイロットに変調された情報を復調することにより、第３指示情報を確定する。
【００５９】
本発明の実施例によるデータ受信システムは、データ伝送用の第１伝送リソースを確定し、前記第１伝送リソースに対応する第２伝送リソースプールから第２伝送リソースを確定し、伝送すべきデータを前記第１伝送リソースと前記第２伝送リソースで送信するための発信側と、データ伝送用の第１伝送リソースを確定し、第１伝送リソースに対応する第２伝送リソースを確定し、前記第１伝送リソースと前記第２伝送リソースでデータ受信するための受信側とを含む。
【発明の効果】
【００６０】
本発明の実施例において、発信側が、伝送すべきデータを第１伝送リソースに関連する第２伝送リソースで送信し、受信側が、第１伝送リソースに関連する第２伝送リソースでデータ情報を受信することにより、検出の成功確率を向上させる。受信側が、第１伝送リソースと、第１伝送リソースに関連する第２伝送リソースでデータ情報を受信することができるため、発信側のＵＥからの複数の伝送リソース上の信号に対し、受信側による合併後検出が保証され、検出の成功率を向上させ、更に伝送性能を向上させる。
【図面の簡単な説明】
【００６１】
【図１】背景技術のセルラーネットワークにおけるユーザ機器通信のデータフロー模式図である。
【図２】背景技術のユーザ機器による直接通信のデータフロー模式図である。
【図３】背景技術のリソースプールの模式図である。
【図４】本発明の実施例１のデータ受信システムの構造模式図である。
【図５】本発明の実施例２のデータ伝送リソースの模式図である。
【図６】本発明の実施例３の指示情報伝送模式図である。
【図７】本発明の実施例４のデータ受信システムの発信側の構造模式図である。
【図８】本発明の実施例５のデータ受信システムの受信側の構造模式図である。
【図９】本発明の実施例６のデータ受信システムの発信側の構造模式図である。
【図１０】本発明の実施例７のデータ受信システムの受信側の構造模式図である。
【図１１】本発明の実施例８のデータ送信方法のフローチャートである。
【図１２】本発明の実施例９のデータ受信方法のフローチャートである。
【発明を実施するための形態】
【００６２】
本発明の実施例において、発信側が、伝送すべきデータを第１伝送リソースに関連する第２伝送リソースで送信し、受信側が、第１伝送リソースに関連する第２伝送リソースでデータ情報を受信することにより、検出の成功確率を向上させる。受信側が、第１伝送リソースと、第１伝送リソースに関連する第２伝送リソースでデータ情報を受信することができるため、発信側のＵＥからの複数の伝送リソース上の信号に対し、受信側による合併後検出が保証され、検出の成功率を向上させ、更に伝送性能を向上させる。
【００６３】
以下、明細書の図面とともに、本発明の実施例を更に詳細に記載する。
【００６４】
図４に示すように、本発明の実施例１のデータ受信システムは、発信側４０と受信側４１とを含む。
発信側４０は、データ伝送用の第１伝送リソースを確定し、第１伝送リソースに対応する第２伝送リソースプールから第２伝送リソースを確定し、伝送すべきデータを第１伝送リソースと第２伝送リソースで送信する。
受信側４１は、データ伝送用の第１伝送リソースを確定し、第１伝送リソースに対応する第２伝送リソースを確定し、データ情報を第１伝送リソースと第２伝送リソースで受信する。
ここで、第１伝送リソースと第２伝送リソースとは、異なるものである。
【００６５】
実施に際し、発信側による第１伝送リソースの確定方式は、多種類あり、以下、数種類を列挙する。
【００６６】
第１伝送リソース確定方式１：
発信側は、受信した第１指示情報に基づき、第１伝送リソースを確定する。
具体的に、ネットワーク側機器又は他の機器は、第１伝送リソースを発信側に割り当て、割り当てる第１伝送リソースに対応する第１指示情報をハイレイヤシグナリング又は物理層シグナリングで発信側に送信する。
ネットワーク側機器又は他の機器は、必要に応じて第１伝送リソースを発信側に割り当てることができる。
第１指示情報は、第１伝送リソースを示すことができる情報であり、例えば第１伝送リソースの位置情報などである。
【００６７】
第１伝送リソース確定方式２：
発信側は、第１伝送リソースを第１伝送リソースプールから確定する。
ここの第１伝送リソースプールは、ネットワーク側機器又は他の機器から発信側に配置されてもよく、プロトコルなどの方式により予め定義されてもよい。
具体的に、発信側は、第１伝送リソースを第１伝送リソースプールからランダムに選択する。又は、発信側は、測定した第１伝送リソースプールの全ての伝送リソース上の信号強度に基づき、第１伝送リソースを選択する。又は、発信側は、所定の第１選択ルールに基づき、第１伝送リソースプールから第１伝送リソースを選択する。
実施に際し、発信側は、第１伝送リソースプールから第１伝送リソースをランダムに選択する場合、第１伝送リソースプールから第１伝送リソースを同一又は異なる確率でランダムに選択することができる。
具体的に、伝送リソースプール内の伝送リソース数をＮとし、発信側は、選択に際し、まず［１，２，…，Ｎ］で均一に分布するランダム変数を生成する。当該ランダム変数をインデックス値として対応するリソースプール内の伝送リソースは、発信側が選出するリソースである。［１，２，…，Ｎ］で均一に分布するランダム変数の値がｎ（１＜＝ｎ＜＝Ｎ）になる確率は、１／Ｎである。
又は、発信側は、選択に際し、まず［１，２，…，Ｎ］で非均一に分布するランダム変数を生成する。当該ランダム変数をインデックス値として対応するリソースプール内の伝送リソースは、発信側が選出するリソースである。［１，２，…，Ｎ］で非均一に分布するランダム変数の値がｎ（１＜＝ｎ＜＝Ｎ）になる確率は、１／Ｎに等しくなくてもよい。例えば、当該ランダム変数の値が１になる確率は、１／２であり、ｎ（１＜ｎ＜＝Ｎ）になる確率は、１／（２（Ｎ−１））である。
実施に際し、発信側は、測定した第１伝送リソースプールの全ての伝送リソース上の信号強度に基づき第１伝送リソースを選択する場合、まず第１伝送リソースプールの全ての伝送リソースを測定して全ての伝送リソースの信号強度を確定してから、信号強度が最も低いＮ個の伝送リソースを第１伝送リソースとする。
信号強度は、信号の電力、信号伝播のパス損失、信号電力対干渉及び雑音電力比ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）などである。
実施に際し、発信側が、所定の第１選択ルールに基づき、第１伝送リソースプールから第１伝送リソースを選択する場合、所定の第１選択ルールは、式１である。
Ｍ  ＝  ＥＱＵＩＰ＿ＩＤ  ｍｏｄ  Ｎ    （式１）
ここで、Ｍ：選出する第１伝送リソースの第１伝送リソースプールでのインデックス値；
ＥＱＵＩＰ＿ＩＤ：発信側のＩＤ；
Ｎ：第１伝送リソースプール内の伝送リソース数。
発信側のＩＤは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｓｔａｔｉｏｎ  Ｉｄｅｎｔｉｔｙ）、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）、機器ＩＤ、ＩＰ（Ｉｎｔｅｒｎｅｔ  Ｐｒｏｔｏｃｏｌ）アドレス、ＭＡＣ（Ｍｅｄｉｕｍ  Ａｃｃｅｓｓ  Ｃｏｎｔｒｏｌ）アドレスなどである。第１伝送リソースプール内の各伝送リソースには、唯一のインデックス値を有する。インデックス値は、一定のルールに基づき生成されてもよく（例えばリソースの位置に基づき生成されることやランダムに生成されるなど）、予め定義されてもよい。
第１選択ルールは、式２であってもよい。
Ｍ  ＝  ＩｎｆｏｒｍａｔｉｏｎＢｉｔｓ  ｍｏｄ  Ｎ  （式２）
ここで、Ｍ：選出する第１伝送リソースの伝送リソースプールでのインデックス値；
ＩｎｆｏｒｍａｔｉｏｎＢｉｔｓ：発信側の伝送すべきデータビットの十進法表現；
Ｎ：伝送リソースプール内の伝送リソース数。
ＩｎｆｏｒｍａｔｉｏｎＢｉｔｓは、発信側の伝送すべきデータの一部ビットの十進法表現であってもよく、例えば最後１０ビットの十進法表現である。
【００６８】
実施に際し、発信側が、第１伝送リソースに対応する第２伝送リソースプールから、第１伝送リソースに対応する第２伝送リソースを選択する方式は、第１伝送リソースの選択に類似する。
【００６９】
発信側は、第２伝送リソースプールから第２伝送リソースをランダムに選択する。又は、発信側は、測定した第２伝送リソースプールの全ての伝送リソース上の信号強度に基づき、第２伝送リソースを選択する。又は、発信側は、所定の第２選択ルールに基づき、第２伝送リソースプールから第２伝送リソースを選択する。
【００７０】
図５に示すように、伝送リソース１に対応する第２伝送リソースプールには、３つの伝送リソース｛７，１３，１９｝を含む。伝送リソース１１に対応する第２伝送リソースプールには、３つの伝送リソース｛１７，２３，２９｝を含む。発信側が伝送リソース１をその第１伝送リソースとして選択した場合、その第２伝送リソースは、対応する第２伝送リソースプール｛７，１３，１９｝から選択するしかできない。例えば、発信側は、１３をその第２伝送リソースとして選択する。
【００７１】
第２伝送リソースプールに含まれる伝送リソース数は、必要に応じて設定され、２、３又は４であることが好ましい。
【００７２】
発信側は、下記方式のうちの一つにより、第１伝送リソースに対応する第２伝送リソースプールを確定することができる。
【００７３】
第２伝送リソースプール確定方式１：
発信側は、所定のリソースプールを第２伝送リソースプールとする。
例えば、第２伝送リソースプールに属するデータ伝送リソースをプロトコルで規定する。
【００７４】
第２伝送リソースプール確定方式２：
発信側は、第１伝送リソースと第２伝送リソースプールのマッピング関係に基づき、第２伝送リソースプールを確定する。
例えば、第１伝送リソースプールにおける第１伝送リソースのインデックスをｋとすると、第２伝送リソースプールは、｛ｋ＋ｔ＋１，ｋ＋２ｔ＋２、ｋ＋３ｔ＋３｝になる。ここで、ｔは、第２伝送リソースプールの時間域又は周波数域の範囲であり、例えば、第２伝送リソースプールに含まれるサブフレームの個数又は１つのサブフレーム内のＰＲＢの個数である。
また、第１伝送リソースプールにおける第１伝送リソースの位置を（ｋ，ｍ）（一つ目の座標は、第ｋ個時間域単位、二つ目の座標は、第ｍ個周波数域単位、（ｋ，ｍ）は、第１伝送リソースが第１伝送リソースプール内の第ｋ個時間域単位の第ｍ個周波数域単位内にあることを示す）とすると、第２伝送リソースプールは、｛（ｋ＋１，ｍ）｝、又は｛（ｋ＋１，ｍ），（ｋ＋２，ｍ）｝、又は｛（ｋ＋１，ｍ），（ｋ＋２，ｍ），（ｋ＋３，ｍ）｝、又は｛（ｋ＋１，ｍ＋１），（ｋ＋２，ｍ＋２）｝になる。ここで、第２伝送リソースプールは、第２伝送リソースプールの元素の、第１伝送リソースプールにおける位置で示される。実施に際し、第２伝送リソースプールの元素は、第１伝送リソースプール内ではなくてもよい。
ＬＴＥ（Ｌｏｎｇ  Ｔｅｒｍ  Ｅｖｏｌｕｔｉｏｎ）システムの場合、第１伝送リソースプールは、Ｋ個サブフレーム上のＭ個ＰＲＢにより構成される。各ＰＲＢが１つの伝送リソースであると、第１伝送リソースプールには、Ｋ×Ｍ個の伝送リソースを有することになる。第１伝送リソースプールにおける第１伝送リソースの位置を（ｋ，ｍ）（一つ目の座標は、第ｋ個サブフレーム、二つ目の座標は、第ｍ個ＰＲＢ、（ｋ，ｍ）は、第１伝送リソースが第１伝送リソースプール内の第ｋ個サブフレームの第ｍ個ＰＲＢ内にあることを示す）とすると、第２伝送リソースプールは、｛（ｋ＋１，ｍ）｝、又は｛（ｋ＋１，ｍ），（ｋ＋２，ｍ）｝、又は｛（ｋ＋１，ｍ），（ｋ＋２，ｍ），（ｋ＋３，ｍ）｝になる。１つの実現方式として、第２伝送リソースプールと第１伝送リソースは、時間域において、隣接サブフレームを占用し、同一のＰＲＢを占用する。第２伝送リソースプールには、１つの元素のみを有してもよい。ここで、第２伝送リソースプールは、第２伝送リソースプールの元素の、第１伝送リソースプールにおける位置で示される。実施に際し、第２伝送リソースプールの元素は、第１伝送リソースプール内ではなくてもよい。
【００７５】
第２伝送リソースプール確定方式３：
発信側は、測定した第１伝送リソースプールの全ての伝送リソース上の信号強度に基づき、第２伝送リソースプールの伝送リソースとして選択する。
例えば、発信側は、第１伝送リソースプール内のすべての伝送リソース上の信号強度を測定し、信号電力が最も低いＬ（第１伝送リソースが除外される）個のリソースを選択して第２伝送リソースプールを構成する。
【００７６】
第２伝送リソースプール確定方式４：
発信側は、第１伝送リソースプールから、第２伝送リソースプールの伝送リソースとして所定の第２選択ルールにより選択するかランダムに選択する。
具体的に、発信側は、第１伝送リソースプールからＬ（第１伝送リソースが除外される）個のリソースを同一又は異なる確率でランダムに選択して第２伝送リソースプールを構成する。
第１伝送リソースプールから所定の第２選択ルールで第２伝送リソースプールを選択する際に、以下のように行われる。
｛Ｍ，Ｍ＋１，Ｍ＋２，…，Ｍ＋Ｌ｝
ここで、
Ｌ＋１：第２伝送リソースプールの大きさ；
Ｍ，Ｍ＋１，Ｍ＋２，…，Ｍ＋Ｌ：選出する第２伝送リソースプールの元素の、第１伝送リソースプールでのインデックス値；
Ｍ  ＝  ＥＱＵＩＰ＿ＩＤ  ｍｏｄ  Ｎ
ＥＱＵＩＰ＿ＩＤ：発信側のＩＤ；
Ｎ：第１伝送リソースプール内の伝送リソース数。
発信側のＩＤは、ＩＭＳＩ、ＴＭＳＩ、Ｃ−ＲＮＴＩ、機器ＩＤ、ＩＰアドレス、ＭＡＣアドレスなどである。第１伝送リソースプール内の各伝送リソースには、唯一のインデックス値を有する。インデックス値は、一定のルールに基づき生成されてもよく（例えばリソースの位置に基づき生成されることやランダムに生成されるなど）、予め定義されてもよい。
または、Ｍ  ＝  ＩｎｆｏｒｍａｔｉｏｎＢｉｔｓ  ｍｏｄ  Ｎ  
ここで、ＩｎｆｏｒｍａｔｉｏｎＢｉｔｓ：発信側の伝送すべきデータビットの十進法表現；
Ｎ：伝送リソースプール内の伝送リソース数。
ＩｎｆｏｒｍａｔｉｏｎＢｉｔｓは、発信側の伝送すべきデータの一部ビットの十進法表現であってもよく、例えば最後１０ビットの十進法表現である。
【００７７】
第２伝送リソースプール確定方式５：
発信側は、第１伝送リソースプールを第２伝送リソースプールとする。
ここのリソースプールは、時間域リソースから構成され、一定の時間範囲と一定の周波数範囲を有する。リソースプールは、一定の周期で時間域に繰り返して現れてもよい。詳しくは図３を参照する。
【００７８】
ここで、発信側は、伝送すべきデータを第１伝送リソースと第２伝送リソースで送信する場合、以下の方式がある。
【００７９】
送信方式１：
発信側は、伝送すべきデータから生成される信号を、第１伝送リソースと第２伝送リソースで繰り返して送信する。
【００８０】
送信方式２：
発信側は、伝送すべきデータの異なる冗長バージョンデータから生成される信号を、第１伝送リソースと第２伝送リソースで送信する。
【００８１】
送信方式３：
発信側は、伝送すべきデータ又は伝送すべきデータの変調符号化したデータを２つの部分に分け、一部データから生成される信号を第１伝送リソースと第２伝送リソースでそれぞれ伝送する。
即ち、送信方式３において、送信すべきデータは、複数の部分に分けられ、各部分が１つの伝送リソースにより送信される。
【００８２】
受信側は、第１伝送リソースの確定に際し、ネットワーク側機器の指示に基づき確定するか、プロトコルにより予め配置して確定する。
【００８３】
受信側は、第１伝送リソースでデータ受信を行ってデータ情報を取得する。データ情報は、伝送データの硬判定情報又はソフトビット情報である。
【００８４】
受信側の第１伝送リソースで取得するデータ情報が正しく復号化され、たとえばＣＲＣ（Ｃｙｃｌｉｃ  Ｒｅｄｕｎｄａｎｃｙ  Ｃｈｅｃｋ）をパスできれば、後続工程を行わなくてもよい（上記送信方式３でデータ伝送を行う場合、正しく復号化されても後続工程を行う必要がある）。
【００８５】
後続工程は、第２伝送リソースでデータを受信してデータ情報を取得し、第１伝送リソースで取得するデータ情報と合併させることを含む。
【００８６】
実施に際し、受信側による第２伝送リソースの確定方式は、多種類あり、以下数種類を列挙する。
【００８７】
第２伝送リソース確定方式１：
受信側は、第１伝送リソースに対応する第２伝送リソースプールの各伝送リソースを１つの第２伝送リソースとする。
第２伝送リソース確定方式１の場合、第１伝送リソースで取得するデータ情報と、第２伝送リソースで取得するデータ情報とを合併してから復号化する。
具体的に、受信側は、各第２伝送リソースでまずデータ情報を受信し、それから、第１伝送リソースで取得するデータ情報を、それぞれ各第２伝送リソースで取得するデータ情報と合併させ、合併後データ検出に一回成功した場合、正しく受信したと確定し、後続の合併を行う必要がない。
また、受信側は、各第２伝送リソースでまずデータ情報を受信し、それから、第１伝送リソースで取得するデータ情報を、全ての第２伝送リソースで取得するデータ情報と合併させてもよい。
さらに、受信側は、一つの第２伝送リソースでデータ情報を受信してから、第１伝送リソースで取得するデータ情報を、第２伝送リソースで取得するデータ情報と合併させてもよい。合併後データ検出に成功した場合、正しく受信したと確定し、引き続き第２伝送リソースでデータ情報を受信する必要がない。逆の場合、引き続き一つの第２伝送リソースでデータ情報を受信する。
図５を例とする。受信側は、第１伝送リソース１で受信を行ってソフトビット情報を取得する。しかも、受信側は、対応する第２伝送リソース７、１３、１９でそれぞれ受信してソフトビット情報を取得し、それぞれ第１伝送リソース１上のソフトビット情報と合併させる。例えば、第２伝送リソース７上のソフトビット情報と第１伝送リソース１上のソフトビット情報を合併して正しく復号化できると、データ受信に成功する。
【００８８】
ここで、受信側による第２伝送リソースプールの確定方式は、発信側による第２伝送リソースプールの確定方式に類似する。即ち、受信側は、所定のリソースプールを第２伝送リソースプールとする（ここのリソースプールは、時間域リソースから構成され、一定の時間範囲と一定の周波数範囲を有する。リソースプールは、一定の周期で時間域に繰り返して現れてもよい。詳しくは図３を参照する）。又は、受信側は、第１伝送リソースと第２伝送リソースプールとのマッピング関係に基づき、第２伝送リソースプールを確定する。又は、受信側は、第１伝送リソースプールを第２伝送リソースプールとする。
【００８９】
第２伝送リソース確定方式２：
発信側は、第２指示情報を送信する。
対応して、受信側は、発信側からの第２指示情報を受信し、第２指示情報に基づき第２伝送リソースを確定する。
第２伝送リソース確定方式２の場合、受信側は、第１伝送リソースで取得するデータ情報と、第２伝送リソースで取得するデータ情報とを合併して復号化する。
実施に際し、発信側は、第２指示情報を送信する。第２指示情報は、第２伝送リソースの位置を指示する。
対応して、受信側は、受信する第２指示情報に基づき第２伝送リソースを確定する。
【００９０】
発信側による第２指示情報送信方式は、多種類ある。
【００９１】
送信方式１：
発信側は、第１伝送リソースで第２指示情報を送信する。
対応して、受信側は、発信側からの第２指示情報を第１伝送リソースで受信する。
具体的に、発信側は、第２指示情報の顕性伝送を第１伝送リソースで行う。第２指示情報は、第１伝送リソースに対応する第２伝送リソースプールにおける第２伝送リソースのインデックス値を指示してもよく、第２伝送リソースの位置、即ち具体的な時間域位置を指示してもよい。
顕性指示情報とデータ情報は、独立に符号化して伝送することができる。例えば、図６に示す第１伝送リソースの場合、第１伝送リソース内の一部のリソースを第２指示情報の伝送にリザーブする。第２指示情報は、データ伝送より低い符号化レートで伝送することが好ましい。
【００９２】
送信方式２：
発信側は、第２指示情報を第１伝送リソースの復調パイロットに変調させて受信側に伝送する。
対応して、受信側は、第１伝送リソースの復調パイロットに変調される情報を復調することにより、発信側からの第２指示情報を確定する。
第２指示情報は、第２伝送リソースの位置を示す情報であり、又は、第２伝送リソースプールにおける第２伝送リソースのインデックス情報である。
図５を例とする。第１伝送リソース内に２列のパイロット信号があり、第２指示情報を第２列パイロットに変調させる。受信側は、第１列パイロットからチャネル推定値を取得し、第２列パイロットに変調させた指示情報を復調する。又は、受信側は、第１列パイロット、第２列パイロット及び第２指示情報のジョイント検出を行って、チャネル推定値と、パイロットに変調される指示情報を同時に取得する。
例えば、候補の伝送リソース集合に４個の元素があり、２ビット情報で指示する必要があり、それぞれ｛００，０１，１１，１０｝に対応し、それを｛１，−１，ｊ，−ｊ｝のうちの一つにマッピングし、ｚと記する。パイロット系列がｓ（ｎ）（ｎ＝０，１，…，Ｐ−１）（Ｐ：パイロット系列の長さ）であると、変調後のパイロット系列は、ｒ（ｎ）＝ｚ・ｓ（ｎ）（ｎ＝０，１，…，Ｐ−１）になる。発信側は、第２列パイロットの位置で、変調後のパイロット系列を送信する。ここで、第１伝送リソースに２列のパイロットがあることを例として説明したが、他形式のパイロットでも、類似方法による指示情報変調ができる。例えば、４列のパイロットがある場合、そのうちの２列のパイロットに指示情報を変調させることができる。
【００９３】
送信方式３：
発信側は、第１伝送リソースの復調パイロット系列（即ち復調基準信号ＤＭＲＳ（Ｄｅｍｏｄｕｌａｔｉｏｎ  Ｒｅｆｅｒｅｎｃｅ  Ｓｉｇｎａｌ））のパラメータ値を第２指示情報とする。
対応して、受信側は、第１伝送リソースの復調パイロット系列のパラメータ値を確定し、それから第１伝送リソースの復調パイロット系列のパラメータ値を第２指示情報にマッピングする。
第２指示情報は、第２伝送リソースの位置を示す情報であり、又は、第２伝送リソースプールにおける第２伝送リソースのインデックス情報である。
具体的に、発信側の第１伝送リソースでの復調パイロット系列のパラメータ値は、ＤＭＲＳ系列の循環シフト値又はＯＣＣ（Ｏｒｔｈｏｇｏｎａｌ  Ｃｏｖｅｒ  Ｃｏｄｅ）値により指示される。
受信側は、ＤＭＲＳに対しブラインド検出を行うことにより、循環シフト値又はＯＣＣ値を確定し、第２伝送リソースの位置を確定する。
例えば、ＤＭＲＳを定義する回路交換ＣＳ（Ｃｉｒｃｕｉｔ  Ｓｗｉｔｃｈｅｄ）値に｛０，６｝の２種類の選択がある場合、受信側の検出によりＣＳ値が０であると確定されると、第２伝送リソースは、第２伝送リソースプールにおける第１個のリソースであり、受信側の検出によりＣＳ値が６であると確定されると、第２伝送リソースは、第２伝送リソースプールにおける第２個のリソースである。類似的に、ＯＣＣの検出により、第２伝送リソースを確定することもできる。循環シフト値とＯＣＣを組み合わせて使用してもよい。
実施に際し、第２指示情報は、第２伝送リソースが存在するか否かを指示してもよい。第２指示情報により第２指示情報が存在しないと指示する場合、受信側は、第１伝送リソースの信号を検出して受信してから後続工程を行わない。例えば、指示情報は、｛００，０１，１０，１１｝の４つの状態を指示する。００、０１、１０は、それぞれ３つの候補伝送リソースに対応し、１１は、第２伝送リソースが存在しないことを示す。
例えば、第１伝送リソースに対応する第２伝送リソースプールに１つの伝送リソースを含むと、第２指示情報は、２つの状態により、第２伝送リソースが存在するか否かを示す。第２指示情報により第２指示情報が存在しないと指示する場合、受信側は、第２伝送リソースの信号を検出して受信してから後続工程を行わない。第２指示情報により第２指示情報が存在すると指示する場合、受信側は、第２伝送リソースの位置を確定することができる。受信側は、第２伝送リソースで取得するデータ情報を、第１伝送リソースで取得するデータ情報と合併させることができる。
【００９４】
発信側は、第２伝送リソースでデータ送信するか否かを示す第３指示情報を送信することが好ましい。
対応して、受信側は、受信した第３指示情報に基づき、第２伝送リソースでデータ受信することを確定する。
具体的に、発信側は、第１伝送リソースの復調パイロットで第３指示情報を送信する。
対応して、受信側は、第１伝送リソースの復調パイロットに変調された情報を復調することにより、第３指示情報を確定する。
例えば、第１伝送リソースに対応する第２伝送リソースプールに１つの伝送リソースを含むと、第３指示情報は、２つの状態により、第２伝送リソースが存在するか否かを示す。第３指示情報により第２指示情報が存在しないと指示する場合、受信側は、第２伝送リソースの信号を検出して受信してから後続工程を行わない。第３指示情報により第２指示情報が存在すると指示する場合、受信側は、第２伝送リソースの位置を確定することができる。受信側は、第２伝送リソースで取得するデータ情報を、第１伝送リソースで取得するデータ情報と合併させることができる。
【００９５】
本発明の実施例の一つの第１伝送リソースは、一つ又は複数の伝送リソースを含むことができる。本発明の実施例の一つの第２伝送リソースは、一つ又は複数の伝送リソースを含むことができる。
【００９６】
本発明の実施例の発信側と受信側は、携帯電話などの端末機器であってもよく、基地局などのネットワーク側機器であってもよい。
【００９７】
本発明の実施例のネットワーク側機器は、基地局、ｅＮｏｄｅＢ（進化した基地局）などのアクセスネットワーク機器であってもよく、又は移動性管理実体ＭＭＥ（Ｍｏｂｉｌｉｔｙ  Ｍａｎａｇｅｍｅｎｔ  Ｅｎｔｉｔｙ）などのコアネットワーク機器であってもよい。
【００９８】
図７に示すように、本発明の実施例４のデータ受信システムの発信側は、第１確定モジュール７０１と、送信モジュール７０２とを含む。第１確定モジュール７０１は、データ伝送用の第１伝送リソースを確定し、第１伝送リソースに対応する第２伝送リソースプールから第２伝送リソースを確定する。送信モジュール７０２は、伝送すべきデータを第１伝送リソースと第２伝送リソースで送信する。
【００９９】
第１確定モジュール７０１は、受信した第１指示情報に基づき、第１伝送リソースを確定する。
【０１００】
第１確定モジュール７０１は、第１伝送リソースプールから第１伝送リソースを確定する。
【０１０１】
第１確定モジュール７０１は、第１伝送リソースプールから第１伝送リソースをランダムに選択する。又は、第１確定モジュール７０１は、測定した第１伝送リソースプールの全ての伝送リソース上の信号強度に基づき、第１伝送リソースを選択する。又は、第１確定モジュール７０１は、所定の第１選択ルールに基づき、第１伝送リソースプールから第１伝送リソースを選択する。
【０１０２】
第１確定モジュール７０１は、第１伝送リソースに対応する第２伝送リソースプールから、第１伝送リソースに対応する第２伝送リソースを選択する。
【０１０３】
第１確定モジュール７０１は、第２伝送リソースプールから第２伝送リソースをランダムに選択する。又は、第１確定モジュール７０１は、測定した第２伝送リソースプールの全ての伝送リソース上の信号強度に基づき、第２伝送リソースを選択する。又は、第１確定モジュール７０１は、所定の第２選択ルールに基づき、第２伝送リソースプールから第２伝送リソースを選択する。
【０１０４】
第１確定モジュール７０１は、以下の方式により第２伝送リソースプールを確定する。所定のリソースプールを第２伝送リソースプールとする。又は、第１伝送リソースと第２伝送リソースプールのマッピング関係に基づき、第２伝送リソースプールを確定する。又は、測定した第１伝送リソースプールの全ての伝送リソース上の信号強度に基づき、第２伝送リソースプールの伝送リソースとして選択する。又は、第１伝送リソースプールから第２伝送リソースプールの伝送リソースとして所定の第２選択ルールにより選択し又はランダムに選択する。又は、第１伝送リソースプールを第２伝送リソースプールとする。
【０１０５】
送信モジュール７０２は、伝送すべきデータから生成される信号を、第１伝送リソースと第２伝送リソースで繰り返して送信する。又は、送信モジュール７０２は、伝送すべきデータの異なる冗長バージョンデータから生成される信号を、第１伝送リソースと第２伝送リソースで送信する。又は、送信モジュール７０２は、伝送すべきデータ又は伝送すべきデータの変調符号化したデータを２つの部分に分け、一部データから生成される信号を、第１伝送リソースと第２伝送リソースでそれぞれ伝送する。
【０１０６】
第１確定モジュール７０１は、更に、第２伝送リソースの位置を示す第２指示情報を送信する。
【０１０７】
第１確定モジュール７０１は、第２指示情報を第１伝送リソースで送信する。
【０１０８】
第１確定モジュール７０１は、第２指示情報を第１伝送リソースの一部で送信する。
【０１０９】
第１確定モジュール７０１は、第２指示情報を第１伝送リソースの復調パイロットに変調させて受信側に伝送する。
【０１１０】
第１確定モジュール７０１は、第１伝送リソースの復調パイロット系列のパラメータ値を第２指示情報とする。
【０１１１】
第２指示情報は、第２伝送リソースの位置を示す情報である。又は、第２指示情報は、第１伝送リソースに対応する第２伝送リソースプールにおける第２伝送リソースのインデックス情報である。
【０１１２】
送信モジュール７０２は、更に、第２伝送リソースでデータ送信するかを示す第３指示情報を送信する。
【０１１３】
図８に示すように、本発明の実施例５のデータ受信システムの受信側は、第２確定モジュール８０１と、受信モジュール８０２とを含む。第２確定モジュール８０１は、データ受信用の第１伝送リソースを確定し、第１伝送リソースに対応する第２伝送リソースを確定する。受信モジュール８０２は、第１伝送リソースと第２伝送リソースでデータ受信を行う。
【０１１４】
第２確定モジュール８０１は、前記第１伝送リソースに対応する第２伝送リソースプールから第２伝送リソースを確定する。
【０１１５】
第２確定モジュール８０１は、第１伝送リソースに対応する第２伝送リソースプールの各伝送リソースを１つの第２伝送リソースとする。
【０１１６】
受信モジュール８０２は、第１伝送リソースで受信したデータ情報と、１つ又は複数の第２伝送リソースで受信したデータ情報を合併して復号する。
【０１１７】
第２確定モジュール８０１は、発信側からの第２指示情報を受信し、第２指示情報に基づき第２伝送リソースを確定する。
【０１１８】
受信モジュール８０２は、第１伝送リソースで受信したデータ情報と、第２伝送リソースで受信したデータ情報を合併して復号する。
【０１１９】
受信モジュール８０２は、発信側からの第２指示情報を、第１伝送リソースで受信する。
【０１２０】
受信モジュール８０２は、第１伝送リソースの復調パイロットに変調された情報を復調することにより、発信側からの第２指示情報を確定する。
【０１２１】
受信モジュール８０２は、第１伝送リソースの復調パイロット系列のパラメータ値に基づき、第２指示情報を確定する。
【０１２２】
第２指示情報は、第２伝送リソースの位置を示す情報である。又は、第２指示情報は、第１伝送リソースに対応する第２伝送リソースプールにおける第２伝送リソースのインデックス情報である。
【０１２３】
第２確定モジュール８０１は、以下の方式により第２伝送リソースプールを確定する。所定のリソースプールを第２伝送リソースプールとする。又は、第１伝送リソースと第２伝送リソースプールのマッピング関係に基づき、第２伝送リソースプールを確定する。又は、第１伝送リソースプールを第２伝送リソースプールとする。
【０１２４】
受信モジュール８０２は、更に、受信した第３指示情報に基づき、第２伝送リソースによるデータ受信を確定した後に、第２伝送リソースでデータ受信を行う。
【０１２５】
受信モジュール８０２は、第１伝送リソースの復調パイロットに変調された情報を復調することにより、第３指示情報を確定する。
【０１２６】
実施に際し、図７の発信側は、受信側としてもよく、図８の受信側は、発信側としてもよい。従って、発信側と受信側の機能をひとつの実体に合併してもよく（即ち、発信側と受信側のモジュールが一つの実体にある）、必要に応じて、発信側の機能又は受信側の機能を選択して使用する。即ち、第１確定モジュール７０１、送信モジュール７０２、第２確定モジュール８０１及び受信モジュール８０２は、一つの実体に合併してもよく、第１確定モジュール７０１と第２確定モジュール８０１を一つのモジュールに、送信モジュール７０２と受信モジュール８０２を一つのモジュールに合併して一つの実体に合併してもよい。
【０１２７】
図９に示すように、本発明の実施例６のデータ受信システムの発信側は、プロセッサ９００と、プロセッサ９００の制御を受けてデータの送受信を行う送受信機９１０とを含む。プロセッサ９００は、データ伝送用の第１伝送リソースを確定し、第１伝送リソースに対応する第２伝送リソースプールから第２伝送リソースを確定し、伝送すべきデータを第１伝送リソースと第２伝送リソースで送信するよう送受信機９１０を制御する。
【０１２８】
プロセッサ９００は、送受信機９１０で受信した第１指示情報に基づき、第１伝送リソースを確定する。
【０１２９】
プロセッサ９００は、第１伝送リソースプールから第１伝送リソースを確定する。
【０１３０】
プロセッサ９００は、第１伝送リソースプールから第１伝送リソースをランダムに選択する。又は、測定した第１伝送リソースプールの全ての伝送リソース上の信号強度に基づき、第１伝送リソースを選択する。又は、所定の第１選択ルールに基づき、第１伝送リソースプールから第１伝送リソースを選択する。
【０１３１】
プロセッサ９００は、第１伝送リソースに対応する第２伝送リソースプールから、第１伝送リソースに対応する第２伝送リソースを選択する。
【０１３２】
プロセッサ９００は、第２伝送リソースプールから第２伝送リソースをランダムに選択する。又は、測定した第２伝送リソースプールの全ての伝送リソース上の信号強度に基づき、第２伝送リソースを選択する。又は、所定の第２選択ルールに基づき、第２伝送リソースプールから第２伝送リソースを選択する。
【０１３３】
プロセッサ９００は、下記方式により、第２伝送リソースプールを確定する。所定のリソースプールを第２伝送リソースプールとする。又は、第１伝送リソースと第２伝送リソースプールのマッピング関係に基づき、第２伝送リソースプールを確定する。又は、測定した第１伝送リソースプールの全ての伝送リソース上の信号強度に基づき、第２伝送リソースプールの伝送リソースとして選択する。又は、第１伝送リソースプールから第２伝送リソースプールの伝送リソースとして所定の第２選択ルールにより選択し又はランダムに選択する。又は、第１伝送リソースプールを第２伝送リソースプールとする。
【０１３４】
プロセッサ９００は、伝送すべきデータから生成される信号を、第１伝送リソースと第２伝送リソースで繰り返して送信するよう送受信機９１０を制御する。又は、伝送すべきデータの異なる冗長バージョンデータから生成される信号を、第１伝送リソースと第２伝送リソースで送信するよう送受信機９１０を制御する。又は、伝送すべきデータ又は伝送すべきデータの変調符号化したデータを２つの部分に分け、一部データから生成される信号を、第１伝送リソースと第２伝送リソースでそれぞれ伝送するよう送受信機９１０を制御する。
【０１３５】
プロセッサ９００は、第２伝送リソースの位置を示す第２指示情報を、送受信機９１０で送信する。
【０１３６】
プロセッサ９００は、第２指示情報を第１伝送リソースで送信するよう送受信機９１０を制御する。
【０１３７】
プロセッサ９００は、第２指示情報を第１伝送リソースの一部で送信するよう送受信機９１０を制御する。
【０１３８】
プロセッサ９００は、第２指示情報を第１伝送リソースの復調パイロットに変調させて受信側に伝送するよう送受信機９１０を制御する。
【０１３９】
プロセッサ９００は、第１伝送リソースの復調パイロット系列のパラメータ値を第２指示情報とするよう送受信機９１０を制御する。
【０１４０】
第２指示情報は、第２伝送リソースの位置を示す情報であり、又は、第１伝送リソースに対応する第２伝送リソースプールにおける第２伝送リソースのインデックス情報である。
【０１４１】
プロセッサ９００は、第２伝送リソースでデータ送信するかを示す第３指示情報を、送受信機９１０で送信する。
【０１４２】
ここで、図９において、バスアーキテクチャは、任意数の相互接続するバスとブリッジを含み、具体的に、プロセッサ９００をはじめとする１つ又は複数のプロセサとメモリ９２０をはじめとするメモリの各種類の回路が接続したものである。バスアーキテクチャは、周辺機器、マノスタット、電力管理回路などの各種類のほかの回路を接続したものであってもよい。これらは、いずれも本分野の公知事項であり、本文において更なる記載をしない。バスインタフェースにより、インタフェースが提供される。送受信機９１０は、複数の部品であってもよく、即ち送信機と受信機を含み、伝送媒体でほかの各種類の装置と通信するユニットとして提供される。ユーザイクイップメントによっては、ユーザインタフェース９３０は、内部接続や外部接続する機器のインタフェースであってもよい。接続する機器は、キーパッド、ディスプレイ、スピーカ、マイクロフォン、コントローラなどを含むが、それらに限られない。
【０１４３】
プロセッサ９００は、バスアーキテクチャと通常の処理を管理する。メモリ９２０は、プロセッサ９００による作業時に使用されるデータを記憶できる。
【０１４４】
図１０に示すように、本発明の実施例７のデータ受信システムの受信側は、プロセッサ１０００と、プロセッサ１０００を制御を受けてデータの送受信を行う送受信機１０１０とを含む。プロセッサ１０００は、データ受信用の第１伝送リソースを確定し、第１伝送リソースに対応する第２伝送リソースを確定し、第１伝送リソースと第２伝送リソースでデータ受信するよう送受信機１０１０を制御する。
【０１４５】
プロセッサ１０００は、第１伝送リソースに対応する第２伝送リソースプールから、前記第２伝送リソースを確定する。
【０１４６】
プロセッサ１０００は、第１伝送リソースに対応する第２伝送リソースプールの各伝送リソースを１つの第２伝送リソースとする。送受信機１０１０を制御して第１伝送リソースで受信したデータ情報と、送受信機１０１０を制御して１つ又は複数の第２伝送リソースで受信したデータ情報を合併して復号する。
【０１４７】
プロセッサ１０００は、発信側からの第２指示情報を送受信機１０１０で受信し、第２指示情報に基づき、第２伝送リソースを確定し、送受信機１０１０を制御して第１伝送リソースで受信したデータ情報と、送受信機１０１０を制御して第２指示情報から確定した第２伝送リソースで受信した伝送すべきデータを合併し、合併後データの復号に成功すると、受信成功と確定する。
【０１４８】
プロセッサ１０００は、発信側からの第２指示情報を第１伝送リソースで受信するよう送受信機１０１０を制御する。
【０１４９】
プロセッサ１０００は、第１伝送リソースの復調パイロットに変調された情報を復調することにより、発信側からの第２指示情報を確定する。
【０１５０】
プロセッサ１０００は、第１伝送リソースの復調パイロット系列のパラメータ値に基づき、第２指示情報を確定する。
【０１５１】
第２指示情報は、第２伝送リソースの位置を示す情報であり、又は、第１伝送リソースに対応する第２伝送リソースプールにおける第２伝送リソースのインデックス情報である。
【０１５２】
プロセッサ１０００は、以下の方式により、第２伝送リソースプールを確定する。所定のリソースプールを第２伝送リソースプールとする。又は、第１伝送リソースと第２伝送リソースプールのマッピング関係に基づき、第２伝送リソースプールを確定する。又は、第１伝送リソースプールを第２伝送リソースプールとする。
【０１５３】
プロセッサ１０００は、送受信機１０１０で受信した第３指示情報に基づき、第２伝送リソースによるデータ受信を確定した後に、送受信機１０１０により、第２伝送リソースでデータ受信する。
【０１５４】
プロセッサ１０００は、第１伝送リソースの復調パイロットに変調された情報を復調することにより、第３指示情報を確定する。
【０１５５】
ここで、図１０において、バスアーキテクチャは、任意数の相互接続するバスとブリッジを含み、具体的に、プロセッサ１０００をはじめとする１つ又は複数のプロセサとメモリ１０２０をはじめとするメモリの各種類の回路が接続したものである。バスアーキテクチャは、周辺機器、マノスタット、電力管理回路などの各種類のほかの回路を接続したものであってもよい。これらは、いずれも本分野の公知事項であり、本文において更なる記載をしない。バスインタフェースにより、インタフェースが提供される。送受信機１０１０は、複数の部品であってもよく、即ち送信機と受信機を含み、伝送媒体でほかの各種類の装置と通信するユニットとして提供される。ユーザイクイップメントによっては、ユーザインタフェース１０３０は、内部接続や外部接続する機器のインタフェースであってもよい。接続する機器は、キーパッド、ディスプレイ、スピーカ、マイクロフォン、コントローラなどを含むが、それらに限られない。
【０１５６】
プロセッサ１０００は、バスアーキテクチャと通常の処理を管理する。メモリ１０２０は、プロセッサ１０００による作業時に使用されるデータを記憶できる。
【０１５７】
実施に際し、図９の発信側は、受信側としてもよく、図１０の受信側は、発信側としてもよい。従って、発信側と受信側の機能をひとつの実体に合併してもよく（即ち、発信側と受信側のモジュールが一つの実体にある）、必要に応じて、発信側の機能又は受信側の機能を選択して使用する。即ち、プロセッサ９００、送受信機９１０、プロセッサ１０００及び送受信機１０１０は、一つの実体に合併してもよく、プロセッサ９００とプロセッサ１０００を一つのモジュールに、送受信機９１０と送受信機１０１０を一つの送受信機に合併して一つの実体に合併してもよい。
【０１５８】
同一の発明思想により、本発明の実施例は、データ送信方法とデータ受信方法をさらに提供している。これらの方法に対応する機器が本発明の実施例のデータ受信システムの機器であり、且つ方法による問題解決原理がシステムに類似するため、当該方法の実施は、システムの実施を参照し、繰り返した説明を避ける。
【０１５９】
図１１に示すように、本発明の実施例８のデータ送信方法は、発信側が、データ伝送用の第１伝送リソースを確定し、第１伝送リソースに対応する第２伝送リソースプールから第２伝送リソースを確定するステップ１１０１と、発信側が、伝送すべきデータを第１伝送リソースと第２伝送リソースで送信するステップ１１０２とを含む。
【０１６０】
発信側がデータ伝送用の第１伝送リソースを確定することは、発信側が、受信した第１指示情報に基づき、第１伝送リソースを確定することを含む。
【０１６１】
発信側がデータ伝送用の第１伝送リソースを確定することは、発信側が、第１伝送リソースプールから第１伝送リソースを確定することを含む。
【０１６２】
発信側が第１伝送リソースプールから第１伝送リソースを確定することは、発信側が第１伝送リソースプールから第１伝送リソースをランダムに選択し、又は、発信側が、測定した第１伝送リソースプールの全ての伝送リソース上の信号強度に基づき、第１伝送リソースを選択し、又は、発信側が、所定の第１選択ルールに基づき、第１伝送リソースプールから第１伝送リソースを選択することを含む。
【０１６３】
発信側が、第１伝送リソースに対応する第２伝送リソースを確定することは、発信側が、第１伝送リソースに対応する第２伝送リソースプールから、第１伝送リソースに対応する第２伝送リソースを選択することを含む。
【０１６４】
発信側が、第１伝送リソースに対応する第２伝送リソースプールから、第１伝送リソースに対応する第２伝送リソースを選択することは、発信側が第２伝送リソースプールから第２伝送リソースをランダムに選択し、又は、発信側が、測定した第２伝送リソースプールの全ての伝送リソース上の信号強度に基づき、第２伝送リソースを選択し、又は、発信側が、所定の第２選択ルールに基づき、第２伝送リソースプールから第２伝送リソースを選択することを含む。
【０１６５】
発信側は、以下の方式により、第２伝送リソースプールを確定する。発信側は、所定のリソースプールを第２伝送リソースプールとする。又は、発信側は、第１伝送リソースと第２伝送リソースプールのマッピング関係に基づき、第２伝送リソースプールを確定する。又は、発信側は、測定した第１伝送リソースプールの全ての伝送リソース上の信号強度に基づき、第２伝送リソースプールの伝送リソースとして選択する。又は、発信側は、第１伝送リソースプールから第２伝送リソースプールの伝送リソースとして所定の第２選択ルールにより選択し又はランダムに選択する。又は、発信側は、第１伝送リソースプールを第２伝送リソースプールとする。
【０１６６】
発信側が、伝送すべきデータを第１伝送リソースと第２伝送リソースで送信することは、発信側が、伝送すべきデータから生成される信号を、第１伝送リソースと第２伝送リソースで繰り返して送信し、又は、発信側が、伝送すべきデータの異なる冗長バージョンデータから生成される信号を、第１伝送リソースと第２伝送リソースで送信し、又は、発信側が、伝送すべきデータ又は伝送すべきデータの変調符号化したデータを２つの部分に分け、一部データから生成される信号を、第１伝送リソースと第２伝送リソースでそれぞれ伝送することを含む。
【０１６７】
当該方法は、発信側が、第２伝送リソースの位置を示す第２指示情報を送信することを更に含む。
【０１６８】
発信側が第２指示情報を送信することは、発信側が、第１伝送リソースで第２指示情報を送信することを含む。
【０１６９】
発信側が第２指示情報を送信することは、発信側が、第１伝送リソースの一部で第２指示情報を送信することを含む。
【０１７０】
発信側が第２指示情報を送信することは、発信側が、第２指示情報を第１伝送リソースの復調パイロットに変調させて発信側に伝送することを含む。
【０１７１】
発信側が第２指示情報を送信することは、発信側が、第１伝送リソースの復調パイロット系列のパラメータ値を第２指示情報とすることを含む。
【０１７２】
第２指示情報は、第２伝送リソースの位置を示す情報であり、又は、第１伝送リソースに対応する第２伝送リソースプールにおける第２伝送リソースのインデックス情報である。
【０１７３】
当該方法は、発信側が、第２伝送リソースでデータ送信するかを示す第３指示情報を送信することを更に含む。
【０１７４】
図１２に示すように、本発明の実施例９のデータ受信方法は、受信側が、データ受信用の第１伝送リソースを確定し、第１伝送リソースに対応する第２伝送リソースプールから第２伝送リソースを確定するステップ１２０１と、受信側が、第１伝送リソースと第２伝送リソースでデータ受信するステップ１２０２とを含む。
【０１７５】
受信側が、第１伝送リソースに対応する第２伝送リソースを確定することは、受信側が、第１伝送リソースに対応する第２伝送リソースプールの各伝送リソースを１つの第２伝送リソースとすることを含み、受信側が、第１伝送リソースと第２伝送リソースでデータ受信することは、受信側が、第１伝送リソースで受信したデータ情報と、１つ又は複数の第２伝送リソースで受信したデータ情報を合併して復号することを含む。
【０１７６】
受信側が、第１伝送リソースに対応する第２伝送リソースを確定することは、受信側が、発信側からの第２指示情報を受信し、第２指示情報に基づき、第２伝送リソースを確定することを含み、受信側が、第１伝送リソースと第２伝送リソースでデータ受信することは、受信側が、第１伝送リソースで受信したデータ情報と、第２伝送リソースで受信したデータ情報を合併して復号することを含む。
【０１７７】
受信側が第２指示情報を受信することは、受信側が、発信側からの第２指示情報を第１伝送リソースで受信することを含む。
【０１７８】
受信側が第２指示情報を受信することは、受信側が、第１伝送リソースの復調パイロットに変調された情報を復調することにより、発信側からの第２指示情報を確定することを含む。
【０１７９】
受信側が第２指示情報を受信することは、受信側が、第１伝送リソースの復調パイロット系列のパラメータ値に基づき、第２指示情報を確定することを含む。
【０１８０】
第２指示情報は、第２伝送リソースの位置を示す情報であり、又は、第１伝送リソースに対応する第２伝送リソースプールにおける第２伝送リソースのインデックス情報である。
【０１８１】
受信側は、以下の方式により、第２伝送リソースプールを確定する。受信側は、所定のリソースプールを第２伝送リソースプールとする。又は、受信側は、第１伝送リソースと第２伝送リソースプールのマッピング関係に基づき、第２伝送リソースプールを確定する。又は、受信側は、第１伝送リソースプールを第２伝送リソースプールとする。
【０１８２】
受信側が第２伝送リソースでデータ受信する前に、受信した第３指示情報に基づき、第２伝送リソースによるデータ受信を確定した後に、第２伝送リソースでデータ受信を行うをさらに含む。
【０１８３】
受信側が第３指示情報を受信することは、受信側が、第１伝送リソースの復調パイロットに変調された情報を復調することにより、第３指示情報を確定することを含む。
【０１８４】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１８５】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１８６】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１８７】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１８８】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１８９】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2017502552.tif 000003
【図２】
2017502552.tif 000004
【図３】
2017502552.tif 000005
【図４】
2017502552.tif 000006
【図５】
2017502552.tif 000007
【図６】
2017502552.tif 000008
【図７】
2017502552.tif 000009
【図８】
2017502552.tif 000010
【図９】
2017502552.tif 000011
【図１０】
2017502552.tif 000012
【図１１】
2017502552.tif 000013
【図１２】
2017502552.tif 000014
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
発信側が、データ伝送用の第１伝送リソースを確定し、前記第１伝送リソースに対応する第２伝送リソースプールから第２伝送リソースを確定することと、
前記発信側が、伝送すべきデータを前記第１伝送リソースと前記第２伝送リソースで送信することと
を含むことを特徴とするデータ送信方法。
【請求項２】
前記発信側がデータ伝送用の第１伝送リソースを確定することは、
前記発信側が、受信した第１指示情報に基づき、前記第１伝送リソースを確定し、
又は、
前記発信側が、第１伝送リソースプールから前記第１伝送リソースを確定し、
前記発信側が第１伝送リソースプールから前記第１伝送リソースを確定することは、
前記発信側が前記第１伝送リソースプールから前記第１伝送リソースをランダムに選択し、
又は、
前記発信側が、測定した前記第１伝送リソースプールの全ての伝送リソース上の信号強度に基づき、前記第１伝送リソースを選択し、
又は、
前記発信側が、所定の第１選択ルールに基づき、第１伝送リソースプールから前記第１伝送リソースを選択し、
前記発信側が、前記第１伝送リソースに対応する第２伝送リソースプールから第２伝送リソースを選択することは、
前記発信側が前記第２伝送リソースプールから前記第２伝送リソースをランダムに選択し、
又は、
前記発信側が、測定した前記第２伝送リソースプールの全ての伝送リソース上の信号強度に基づき、前記第２伝送リソースを選択し、
又は、
前記発信側が、所定の第２選択ルールに基づき、第２伝送リソースプールから前記第２伝送リソースを選択することを含むことを特徴とする請求項１に記載のデータ送信方法。
【請求項３】
前記発信側は、
所定のリソースプールを前記第２伝送リソースプールとし、
又は、
前記第１伝送リソースと第２伝送リソースプールのマッピング関係に基づき、前記第２伝送リソースプールを確定し、
又は、
測定した前記第１伝送リソースプールの全ての伝送リソース上の信号強度に基づき、前記第２伝送リソースプールの伝送リソースとして選択し、
又は、
前記第１伝送リソースプールから前記第２伝送リソースプールの伝送リソースとして所定の第２選択ルールにより選択し又はランダムに選択し、
又は、
前記第１伝送リソースプールを前記第２伝送リソースプールとすることにより、
前記第２伝送リソースプールを確定することを特徴とする請求項１に記載のデータ送信方法。
【請求項４】
前記発信側が、伝送すべきデータを前記第１伝送リソースと前記第２伝送リソースで送信することは、
前記発信側が、前記伝送すべきデータから生成される信号を、前記第１伝送リソースと前記第２伝送リソースで繰り返して送信し、
又は、
前記発信側が、前記伝送すべきデータの異なる冗長バージョンデータから生成される信号を、前記第１伝送リソースと前記第２伝送リソースで送信し、
又は、
前記発信側が、伝送すべきデータ又は伝送すべきデータの変調符号化したデータを２つの部分に分け、一部データから生成される信号を、前記第１伝送リソースと前記第２伝送リソースでそれぞれ伝送することを含むことを特徴とする請求項１に記載のデータ送信方法。
【請求項５】
前記発信側が、前記第２伝送リソースの位置を示す第２指示情報を送信することを更に含み、
前記発信側が第２指示情報を送信することは、
前記発信側が、前記第２指示情報を前記第１伝送リソースで送信し、
前記発信側が前記第２指示情報を前記第１伝送リソースで送信することは、
前記発信側が、前記第２指示情報を第１伝送リソースの一部で送信し、
又は、
前記発信側が、第２指示情報を前記第１伝送リソースの復調パイロットに変調させて伝送し、
又は、
前記発信側が、前記第１伝送リソースの復調パイロット系列のパラメータ値を前記第２指示情報とし、
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項１に記載のデータ送信方法。
【請求項６】
受信側が、データ受信用の第１伝送リソースを確定し、第１伝送リソースに対応する第２伝送リソースを確定することと、
前記受信側が、前記第１伝送リソースと前記第２伝送リソースでデータ受信することと
を含み、
受信側が、第１伝送リソースに対応する第２伝送リソースを確定することは、
前記受信側が、第１伝送リソースに対応する第２伝送リソースプールから前記第２伝送リソースを確定することを含むことを特徴とするデータ受信方法。
【請求項７】
前記受信側が、第１伝送リソースに対応する第２伝送リソースを確定することは、
前記受信側が、前記第１伝送リソースに対応する第２伝送リソースプールの各伝送リソースを１つの第２伝送リソースとすることを含み、
前記受信側が、前記第１伝送リソースと前記第２伝送リソースでデータ受信することは、
前記受信側が、前記第１伝送リソースで受信したデータ情報と、前記１つ又は複数の第２伝送リソースで受信したデータ情報を合併して復号することを含み、
前記受信側は、
所定のリソースプールを前記第２伝送リソースプールとし、
又は、
前記第１伝送リソースと第２伝送リソースプールのマッピング関係に基づき、前記第２伝送リソースプールを確定し、
又は、
前記第１伝送リソースプールを前記第２伝送リソースプールとすることにより、
第２伝送リソースプールを確定することを特徴とする請求項６に記載のデータ受信方法。
【請求項８】
前記受信側が、第１伝送リソースに対応する第２伝送リソースを確定することは、
前記受信側が、第２指示情報を受信し、前記第２指示情報に基づき、前記第２伝送リソースを確定することを含み、
前記受信側が、前記第１伝送リソースと前記第２伝送リソースでデータ受信することは、
前記受信側が、前記第１伝送リソースで受信したデータ情報と、前記第２伝送リソースで受信したデータ情報を合併して復号することを含むことを特徴とする請求項６に記載のデータ受信方法。
【請求項９】
前記受信側が前記第２指示情報を受信することは、
前記受信側が、前記第２指示情報を前記第１伝送リソースで受信することを含み、
前記受信側が前記第２指示情報を受信することは、
前記受信側が、前記第１伝送リソースの復調パイロットに変調された情報を復調することにより、前記第２指示情報を確定し、
又は、
前記受信側が、前記第１伝送リソースの復調パイロット系列のパラメータ値に基づき、前記第２指示情報を確定することを含み、
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項８に記載のデータ受信方法。
【請求項１０】
データ伝送用の第１伝送リソースを確定し、前記第１伝送リソースに対応する第２伝送リソースプールから第２伝送リソースを確定するための第１確定モジュールと、
伝送すべきデータを前記第１伝送リソースと前記第２伝送リソースで送信するための送信モジュールと
を含むことを特徴とするデータ送信機器。
【請求項１１】
前記第１確定モジュールは、
受信した第１指示情報に基づき、前記第１伝送リソースを確定し、
又は、
第１伝送リソースプールから前記第１伝送リソースを確定し、
前記第１確定モジュールが第１伝送リソースプールから前記第１伝送リソースを確定することは、
前記第１伝送リソースプールから前記第１伝送リソースをランダムに選択し、
又は、
測定した前記第１伝送リソースプールの全ての伝送リソース上の信号強度に基づき、前記第１伝送リソースを選択し、
又は、
所定の第１選択ルールに基づき、第１伝送リソースプールから前記第１伝送リソースを選択することを含み、
前記第１確定モジュールは、
前記第２伝送リソースプールから前記第２伝送リソースをランダムに選択し、
又は、
測定した前記第２伝送リソースプールの全ての伝送リソース上の信号強度に基づき、前記第２伝送リソースを選択し、
又は、
所定の第２選択ルールに基づき、第２伝送リソースプールから前記第２伝送リソースを選択することを特徴とする請求項１０に記載のデータ送信機器。
【請求項１２】
前記第１確定モジュールは、
所定のリソースプールを前記第２伝送リソースプールとし、
又は、
前記第１伝送リソースと第２伝送リソースプールのマッピング関係に基づき、前記第２伝送リソースプールを確定し、
又は、
測定した前記第１伝送リソースプールの全ての伝送リソース上の信号強度に基づき、前記第２伝送リソースの伝送リソースとして選択し、
又は、
前記第１伝送リソースプールから、第２伝送リソースプールの伝送リソースとして所定の第２選択ルールにより選択し又はランダムに選択し、
又は、
前記第１伝送リソースプールを前記第２伝送リソースプールとすることにより、
前記第２伝送リソースプールを確定することを特徴とする請求項１０に記載のデータ送信機器。
【請求項１３】
前記送信モジュールは、
前記伝送すべきデータから生成される信号を、前記第１伝送リソースと前記第２伝送リソースで繰り返して送信し、
又は、
前記伝送すべきデータの異なる冗長バージョンデータから生成される信号を、前記第１伝送リソースと前記第２伝送リソースで送信し、
又は、
伝送すべきデータ又は伝送すべきデータの変調符号化したデータを２つの部分に分け、一部データから生成される信号を、前記第１伝送リソースと前記第２伝送リソースでそれぞれ伝送することを特徴とする請求項１０に記載のデータ送信機器。
【請求項１４】
前記第１確定モジュールは、更に、前記第２伝送リソースの位置を示す第２指示情報を送信し、
前記第１確定モジュールは、前記第２指示情報を前記第１伝送リソースで前記受信側に送信し、
前記第１確定モジュールは、
前記第２指示情報を第１伝送リソースの一部で前記受信側に送信し、
又は、
第２指示情報を前記第１伝送リソースの復調パイロットに変調させて前記受信側に伝送し、
又は、
前記第１伝送リソースの復調パイロット系列のパラメータ値を前記第２指示情報とし、
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項１０に記載のデータ送信機器。
【請求項１５】
データ伝送用の第１伝送リソースを確定し、第１伝送リソースに対応する第２伝送リソースを確定するための第２確定モジュールと、
前記第１伝送リソースと前記第２伝送リソースでデータ受信するための受信モジュールと
を含み、
前記第２確定モジュールは、
第１伝送リソースに対応する第２伝送リソースプールから、前記第２伝送リソースを確定することを特徴とするデータ受信機器。
【請求項１６】
前記第２確定モジュールは、
前記第１伝送リソースに対応する第２伝送リソースプールの各伝送リソースを１つの第２伝送リソースとし、
前記受信モジュールは、
前記第１伝送リソースで受信したデータ情報と、前記１つ又は複数の第２伝送リソースで受信したデータ情報を合併して復号し、
前記第２確定モジュールは、
所定のリソースプールを前記第２伝送リソースプールとし、
又は、
前記第１伝送リソースと第２伝送リソースプールのマッピング関係に基づき、前記第２伝送リソースプールを確定し、
又は、
前記第１伝送リソースプールを前記第２伝送リソースプールとすることにより、
第２伝送リソースプールを確定することを特徴とする請求項１５に記載のデータ受信機器。
【請求項１７】
前記第２確定モジュールは、
前記発信側からの第２指示情報を受信し、前記第２指示情報に基づき、前記第２伝送リソースを確定し、
前記受信モジュールは、
前記第１伝送リソースで受信したデータ情報と、前記第２伝送リソースで受信したデータ情報を合併して復号することを特徴とする請求項１５に記載のデータ受信機器。
【請求項１８】
前記受信モジュールは、
更に、前記発信側からの前記第２指示情報を前記第１伝送リソースで受信し、
前記受信モジュールは、
前記第１伝送リソースの復調パイロットに変調された情報を復調することにより、前記発信側からの前記第２指示情報を確定し、
又は、
前記第１伝送リソースの復調パイロット系列のパラメータ値に基づき、前記第２指示情報を確定し、
前記第２指示情報は、前記第２伝送リソースの位置を示す情報であり、又は、前記第１伝送リソースに対応する第２伝送リソースプールにおける前記第２伝送リソースのインデックス情報であることを特徴とする請求項１７に記載のデータ受信機器。
【国際調査報告】
2017502552.tif 000015
2017502552.tif 000016
2017502552.tif 000017
2017502552.tif 000018